(57)【要約】【課題】ランニングするに際して、ランニング区間の距離が分からないコース上において、所定の区間ごとのラップタイムを自動的に計測することができ、必要に応じてその計測結果を知ることができるランニング支援装置を提供する。【解決手段】利用者の走行または歩行等のランニングにおける走行距離を計測する走行距離検知手段と、前記走行距離に対する走行時間を計測する走行時間計時手段と、利用者が望む条件をあらかじめ設定する条件設定手段と、前記各手段によって得られた情報に基づいて演算をする演算手段と、前記走行距離検知手段、または走行時間計時手段、または前記演算手段によって得られた情報に対して、これらを記憶する記憶手段及び報知する報知手段を有する構成とする。【選択図】　　　　　　図１
2004016444.tif 000002
【特許請求の範囲】
【請求項１】
利用者の走行または歩行等のランニングにおける走行距離を計測する走行距離検知手段と、
前記走行距離に対する走行時間を計測する走行時間計時手段と、
利用者が望む条件をあらかじめ設定する条件設定手段と、
前記各手段によって得られた情報に基づいて演算をする演算手段と、
前記走行距離検知手段、または走行時間計時手段、または前記演算手段によって得られた情報に対して、これらを記憶する記憶手段及び報知する報知手段を有することを特徴とするランニング支援装置。
【請求項２】
前記走行距離検知手段は、走行した距離を時系列で連続的に計測する走行距離検知センサーであることを特徴とする請求項１に記載のランニング支援装置。
【請求項３】
前記走行距離検知手段は、ランニングするコースに設けられた走行区間情報発信手段から走行距離を計測する手段であることを特徴とする請求項１に記載のランニング支援装置。
【請求項４】
前記条件設定手段で設定されたラップタイム計測区間において、ラップタイムが計測あるいは更新された場合には、ラップタイムが計測されたことを前記報知手段により報知し、所定の時間最新のラップタイムを報知する構成を有することを特徴とする請求項１〜３のいずれか１項に記載のランニング支援装置。
【請求項５】
前記条件設定手段で設定された目標ラップタイムにおいて、所定のターゲットゾーンを設け、前記演算手段により実走ラップタイムとターゲットゾーンを比較し、実走ラップタイムがターゲットゾーンの範囲内にあるか、ターゲットゾーンより速いのか、または遅いのかを判断し、前記報知手段にその状態に応じた報知をする構成を有することを特徴とする請求項１〜４のいずれか１項に記載のランニング支援装置。
【請求項６】
前記条件設定手段で設定された所定のポイントと、前記走行距離検知手段で計測した走行距離と前記計時手段で計測した走行時間、あるいはラップタイムから前記演算手段において所定のポイントへの到達予想タイムを演算し、前記報知手段に報知する構成を有することを特徴とする請求項１〜５のいずれか１項に記載のランニング支援装置。
【請求項７】
パソコンや携帯端末等の外部情報処理装置との通信手段を備えていることを特徴とする請求項１〜６のいずれか１項に記載のランニング支援装置。
【発明の詳細な説明】
【０００１】
【発明の属する技術分野】
本発明は、利用者のランニングを支援するランニング支援装置に関するものである。特に自動ラップタイム計測に関するものである。
【０００２】
【従来の技術】
従来、ランナーの支援装置としてラップタイム計測機能付きの腕時計が知られている。
従来のラップタイム計測装置は、ロードレース大会の運営者がコース上に設けた１ｋｍごとの距離表示を目安にして、距離表示地点を通過した時に利用者が腕時計のラップ計測ボタンを押すことによりラップタイムを計測していた。
【０００３】
【発明が解決しようとする課題】
しかしながら、上記のような従来技術のラップタイム計測装置の場合には、つぎのような点に問題を有していた。
すなわち、ラップタイムを計測するにはロードレース大会の運営者が所定距離ごとに目安となる距離表示を行うことが必須の条件となる。出場者がたくさんいる有名な大会では１ｋｍごとの詳細な距離表示がされることもあるが、多くの地方大会での距離表示はコースの中間点など大まかな表示のみとなっていることが多い。また、詳細な距離表示がある大会であっても、腕時計のラップ計測ボタンを押した積もりでリセットボタンを誤って押してしまい、スタートからの走行時間をクリアしてしまうというような誤操作が発生するという問題があった。
【０００４】
そこで、本発明は、利用者がランニングするに際して、ランニング区間の距離が分からないコース上において、所定の区間ごとのラップタイムを自動的に計測することができ、必要に応じてその計測結果を知ることができるランニング支援装置を提供することを目的とするものである。なお、本発明における「ランニング」の中には、「走行」または「歩行」する場合が含まれている。
【０００５】
【課題を解決するための手段】
本発明は、上記課題を達成するため、つぎの（１）〜（７）のように構成したランニング支援装置を提供するものである。
（１）利用者の走行または歩行等のランニングにおける走行距離を計測する走行距離検知手段と、
前記走行距離に対する走行時間を計測する走行時間計時手段と、
利用者が望む条件をあらかじめ設定する条件設定手段と、
前記各手段によって得られた情報に基づいて演算をする演算手段と、
前記走行距離検知手段、または走行時間計時手段、または前記演算手段によって得られた情報に対して、これらを記憶する記憶手段及び報知する報知手段を有することを特徴とするランニング支援装置。
（２）前記走行距離検知手段は、走行した距離を時系列で連続的に計測する走行距離検知センサーであることを特徴とする上記（１）に記載のランニング支援装置。
（３）前記走行距離検知手段は、ランニングするコースに設けられた走行区間情報発信手段から走行距離を計測する手段であることを特徴とする上記（１）に記載のランニング支援装置。
（４）前記条件設定手段で設定されたラップタイム計測区間において、ラップタイムが計測あるいは更新された場合には、ラップタイムが計測されたことを前記報知手段により報知し、所定の時間最新のラップタイムを報知する構成を有することを特徴とする上記（１）〜（３）のいずれかに記載のランニング支援装置。
（５）前記条件設定手段で設定された目標ラップタイムにおいて、所定のターゲットゾーンを設け、前記演算手段により実走ラップタイムとターゲットゾーンを比較し、実走ラップタイムがターゲットゾーンの範囲内にあるか、ターゲットゾーンより速いのか、または遅いのかを判断し、前記報知手段にその状態に応じた報知をする構成を有することを特徴とする上記（１）〜（４）のいずれかに記載のランニング支援装置。
（６）前記条件設定手段で設定された所定のポイントと、前記走行距離検知手段で計測した走行距離と前記計時手段で計測した走行時間、あるいはラップタイムから
前記演算手段において所定のポイントへの到達予想タイムを演算し、前記報知手段に報知する構成を有することを特徴とする上記（１）〜（５）のいずれかに記載のランニング支援装置。
（７）パソコンや携帯端末等の外部情報処理装置との通信手段を備えていることを特徴とする上記（１）〜（６）のいずれかに記載のランニング支援装置。
【０００６】
【発明の実施の形態】
上記構成を適用することにより、つぎのような自動ラップタイム計測が可能なランニング支援装置を実現することが可能となる。例えば、利用者の走行距離を直接的あるいは間接的に計測するとともに計時手段で得られた走行時間と、条件設定手段であらかじめ設定したラップタイム計測区間のデータに基づき演算手段で演算を行うことにより、ラップタイム計測区間を通過するごとに最新のラップタイムを報知手段で報知する自動ラップタイム計測が可能なランニング支援装置を得ることができる。
これによると、つぎのようなことが可能となる。
▲１▼．ロードレース大会などで目安となる距離表示がなくともラップタイムの計測が可能となる。
▲２▼．詳細な距離表示がある大会であっても、従来例のように腕時計のラップ計測ボタンを押した積もりでリセットボタンを誤って押してしまい、スタートからの走行時間をクリアしてしまうというような誤操作が発生するという問題をなくすことが可能となる。そして、利用者はラップタイム計測ボタンを正確に押すことを気にせずにランニングに集中することが可能となる。
▲３▼．日常のトレーニングにおいてもコース上の距離がはっきりしない場所でも変化のあるインターバルトレーニング、ビルドアップトレーニングなどを効果的に行うことが可能となる。
▲４▼．タイムキーパーなしでも効果的なトレーニングをすることができる。
【０００７】
また、利用者のペース配分を支援するために、設定手段に目標ラップタイムゾーンを設定し、実測ラップタイムと目標ラップタイムゾーンを比較して、実測ラップタイムが目標ラップタイム下限を下回る場合（ペースが速い）、目標ラップタイムゾーン内にある場合（目標ペース）、目標ラップタイム上限を上回る場合（ペースが遅い）、それぞれの比較結果に応じて報知手段により報知し利用者に知らせることができるので、利用者はペースが適切であるか確認しながらランニングを行うことが可能となる。
【０００８】
また、所定地点の通過タイムを予測するために、設定手段であらかじめ設定された所定のポイントと、走行距離検知手段で計測した走行距離と計時手段で計測した走行時間、あるいは演算手段により演算されたラップタイムから前記演算手段において所定のポイントまでの到達に要する予想タイムを演算し、前記報知手段に報知することで、利用者が走行中に望む地点での通過タイムを予想することができ、ロードレース大会などでのゴールタイムの予測、さらに途中関門が設けられている大会では途中関門通過タイムを確認しながらランニングをすることが可能となる。すなわち、途中関門通過タイム、制限ゴールタイムを守れるペース配分を把握できるので、あと１分早く関門を通過すれば途中棄権とならなかったのになど悔しい思いをすることなく、無事完走ができるようにランナーを支援することが可能となる。また、コース上に設けられているエイドステーションのポイントを設定しておけば、あとどの程度走ればエイドステーションに到達できるか事前に知ることができるので、利用者を励ます効果もある。
【０００９】
また、ランニング支援装置に通信機能を設けて、パソコンや携帯情報端末等の外部情報処理装置へ計測、あるいは演算された走行距離に対する走行時間、各区間のラップタイムなどの情報を転送することを可能にすることにより、その時々のランニング状態の確認、管理など使用者のランニングの支援をすることが可能となる。
【００１０】
【実施例】
以下に本発明の実施例について説明する。
［実施例１］
図１〜図３を用いて、本発明の実施例１におけるランニング支援装置について説明する。図１はランニング支援装置の制御ブロック図であり、図２は利用者の走行距離を直接的に計測することを示した図である。
【００１１】
図１及び図２において、１は利用者の走行距離を計測する走行距離検知手段、２は計時手段、３は利用者が各種条件を設定するための設定手段、４はランニング支援装置を制御する制御手段（演算手段）、５は制御手段により演算された結果を記憶する記憶手段、６は利用者に各種情報を知らせる報知手段、７は外部情報処理装置との通信を行う通信手段である。
【００１２】
図１及び図２に示すように、走行距離検知センサー１ａは利用者の脚部に取り付けられ利用者のランニング時における走行距離を時系列で連続的に計測される。利用者はランニングを開始するに当たり、図示せぬ計測スタートボタンを押すことにより走行距離、ならびに走行時間などのデータがクリアされ計測を開始する。そして、これらの情報に基づき演算手段４により演算を実行する。
【００１３】
つぎに、図３を用いて、本実施例における自動ラップタイム計測・走行距離を直接的に計測する場合について説明する。図３は自動ラップタイム計測の実現を示した図である。
図３では、設定手段３でラップタイム計測区間を１ｋｍごとに計測するように設定した例を示している。一般的に１ｋｍ、５ｋｍごとのラップタイムを計測することが多いがラップタイム計測区間は設定手段３で任意に設定することができる。
上記のランニング支援装置は、利用者が走り始めるスタート地点で計測スタートボタンを押すことにより、走行距離、ならびに走行時間がクリアされゼロから計測が開始される。
利用者がランニングを開始してから走行した距離を時系列で連続的に計測する。この時、計時手段２で計測される走行時間と走行距離検知センサー１ａで計測される走行距離は対応ずけて記憶手段５により記憶される。
そして、設定手段３であらかじめ設定されたラップタイム計測距離１ｋｍに達するとスタート地点から１ｋｍ地点までの１ｋｍのラップタイムＴｒ１を所定時間ｔ１だけ報知手段６に表示する。また、ラップタイムが計測され表示されたことを利用者に知らせるために音、または音声で報知手段６により報知する。また、夜間などではラップタイム計測が完了した時点で報知手段６を発光させ所定時間ｔ１だけラップタイムを報知手段６に表示する。
【００１４】
ラップタイム表示を所定時間ｔ１だけ表示後には、報知手段６の表示をスタート地点からの現地点までの総走行時間の表示に切り替える。２ｋｍ走行した地点で再び同様の処理をし、１ｋｍから２ｋｍまでに要したラップタイムＴｒ２を所定時間ｔ２だけ表示する。これ以降も設定手段３で設定したラップタイム計測距離である１ｋｍ進むごとに同様の処理を繰り返す。
また、設定手段３で設定したラップタイム計測距離ごとのラップタイムは記憶手段に記憶される。そして、走行距離、走行時間あるいはラップタイムの計測は図示せぬ計測終了ボタンを押すことにより完了する。
【００１５】
ランニングが終了し、上記の計測が終了した時点で記憶手段５に記憶されたラップタイムを報知手段６に読み出し表示することができる。また、通信手段７によりパソコンや携帯情報端末等の外部情報処理装置にランニング支援装置からの走行距離に対する走行時間、各区間のラップタイムなどの情報を転送しその時々のランニング状態を確認、管理することができる。
上記のように設定手段３であらかじめ設定されたラップタイム計測区間ごとのラップタイムが自動的に計測できるので、ロードレース大会などで目安となる距離表示がなくともラップタイムの計測ができ、利用者のランニング支援をすることが可能となる。
【００１６】
また、詳細な距離表示がある大会であっても、従来例のように腕時計のラップ計測ボタンを押した積もりでリセットボタンを誤って押してしまい、スタートからの走行時間をクリアしてしまうというような誤操作が発生するという問題をなくすことが可能となる。そして、利用者はラップタイム計測ボタンを正確に押すことを気にせずにランニングに集中することが可能となる。
また、日常のトレーニングにおいてもコース上の距離がはっきりしない場所でも変化のあるインターバルトレーニング、ビルドアップトレーニングなどを効果的に行うことが可能となり利用者のランニングライフをおおいに支援することが可能となる。
【００１７】
［実施例２］
図４を用いて、本発明の実施例２における利用者のペース配分を支援する場合について説明する。図４は利用者のペース配分の支援を示した図である。
図４に示すように、設定手段３でラップタイム計測区間をＤｎとした例で説明する。設定手段３でラップタイム計測区間Ｄｎにおける目標ラップタイムの下限Ｔｒ（ｍｉｎ）と上限Ｔｒ（ｍａｘ）を設定する。この設定は、目標ラップタイムＴｒ（ｔｙｐ）のみを入力し、演算手段４で所定の目標ラップタイムゾーン（下限Ｔｒ（ｍｉｎ）、上限Ｔｒ（ｍａｘ））を自動設定するようにしても良い。
【００１８】
図４において、Ｔｒｎは地点Ｐｎ−１から地点Ｐｎまでの区間のラップタイムである。利用者が地点Ｐｎを通過した地点で実測値であるラップタイムＴｒｎをあらかじめ設定されている目標ラップタイムゾーンと比較する。
この比較結果に基づき、ラップタイムＴｒｎが目標ラップタイム下限Ｔｒ（ｍｉｎ）を下回る状態（▲１▼．Ｔｒｎ＜Ｔｒ（ｍｉｎ））、つまり目標よりもペースが速い場合は第１の報知を利用者に行う。そして、ラップタイムＴｒｎが目標ラップタイム下限Ｔｒ（ｍｉｎ）とＴｒ（ｍａｘ）の範囲内にある状態（▲２▼．Ｔｒ（ｍｉｎ）≦Ｔｒｎ≦Ｔｒ（ｍａｘ））、つまり目標ペースにある場合は第２の報知を利用者に行う。
また、ラップタイムＴｒｎが目標ラップタイムＴｒ（ｍａｘ）を上回る状態（▲３▼．Ｔｒ（ｍａｘ）＜Ｔｒｎ）、つまり目標ペースよりもペースが遅い場合は第３の報知を利用者に行う。
【００１９】
このように目標ラップタイムゾーンに対する実際のラップタイムを適宜比較し、利用者に知らせることができるので、利用者はペースが適切であるか確認しながらランニングを行うことが可能となる。
ここで実際のラップタイムと目標ラップタイムゾーンに応じた報知は、報知手段６で違う音（状態▲１▼：ピ・ピ／状態▲２▼：ピ／状態▲３▼：ピー）、音声（状態▲１▼：速い／状態▲２▼：いいペース／状態▲３▼：遅い）、あるいは表示色（状態▲１▼：赤／状態▲２▼：緑／状態▲３▼：黄）など利用者がペース状態を容易に判断できる方法ならば良い。
【００２０】
［実施例３］
図５を用いて、本発明の実施例３における所定地点の通過タイムの予測・平均速度からの予測をするランニング支援装置について説明する。図５は所定地点の通過タイムの予測を現地点までの平均速度から求める方法を示した図である。
この図５により、利用者がスタート地点から走行し地点Ｐａまで到達した時に所定の地点Ｐｃｋの通過タイムを予想する例において説明する。
まず、設定手段３により通過予想タイムを知りたい地点Ｐｃｋを入力する。利用者は地点Ｐｃｋの通過予想タイムが知りたくなったら、図示せぬ通過予想タイム確認ボタンを押すことにより地点Ｐｃｋの通過予想タイムを確認することができる。
【００２１】
つぎに、地点Ｐａで地点Ｐｃｋの通過予想タイムを確認する時、スタート地点Ｐ０から地点Ｐａまでの走行時間Ｔａ、走行距離Ｄａより演算手段４によりこの区間の平均速度を求め、その平均速度から地点Ｐｃｋの通過タイムを予測する。通過タイムを知りたいポイントは複数設定することが可能であり、通過予想タイム確認ボタンを押したときには現在走行している地点から進行方向に対して最も近いポイントの通過予想タイムを報知手段６により表示する。また、通過予想タイム確認ボタンを押すごとに現在走行している地点から進行方向に対して最も近いポイントから順次各ポイントの通過予想タイムを表示させても良い。
【００２２】
このように利用者が走行中に利用者の望む地点での通過タイムが予想できることで、ロードレース大会などでのゴールタイムの予測、さらに途中関門が設けられている大会では途中関門通過タイムを確認しながらランニングをすることが可能となる。すなわち、途中関門通過タイム、制限ゴールタイムを守れるペース配分を把握できるので、あと１分早く関門を通過すれば途中棄権とならなかったのになど悔しい思いをすることなく、無事完走ができるようにランナーを支援することが可能となる。
【００２３】
［実施例４］
図６を用いて、本発明の実施例４における所定地点の通過タイムの予測・現地点での速度からの予測をするランニング支援装置について説明する。図６は所定地点の通過タイムの予想を現地点での速度から求める方法を示した図である。
図６により、利用者がスタート地点Ｐ０から走行し地点Ｐｎまで到達した時に所定の地点Ｐｃｋの通過タイムを予想する例において説明する。
【００２４】
通過予想タイムを知りたい地点Ｐｃｋの設定、ならびに通過予想タイム確認ボタンを押すことにより通過予想タイムを確認することができることは実施例３と同様である。
地点Ｐｃｋの通過予想タイムを確認する時、スタート地点Ｐ０から地点Ｐｎまでの走行時間Ｔｎ、あらかじめ設定されたラップタイム計測区間でのラップタイムから演算手段４により、通過予想タイムを確認したいポイントＰｎの直近のラップタイムＴｒｎ（地点Ｐｎ−１から地点Ｐｎ区間）の速度を求め、その速度から地点Ｐｃｋの通過タイムを予測する。
【００２５】
このように通過予想タイムを確認したい地点での走行速度から地点Ｐｃｋの通過予想タイムを確認することで、利用者の疲労によるペースダウンをも考慮した通過タイムの予想が可能となり、途中関門通過タイム、制限ゴールタイムの予測の精度が向上する。そして、利用者のレース完走を支援することが可能となる。
［実施例５］
図７を用いて、本発明の実施例５における自動ラップタイム計測・走行距離を間接的に計測するランニング支援装置について説明する。図７は利用者の走行距離を間接的に計測することを示した図である。
これは図１における走行距離検知手段１を図７に示すように、利用者がランニングするコース上に設けた複数の走行距離情報発信手段１ｂ（Ｐ０、Ｐ１、Ｐ２、・・、Ｐｎ−１、Ｐｎ）から走行距離情報を得るものである。
【００２６】
利用者が各設置ポイントを通過した時に走行距離情報発信手段１ｂからの信号を通信手段７により受信し、距離情報を得て演算手段４で演算が実行される。
実施例７では、走行距離情報発信手段１ｂの各設置ポイントを通過するごとに自動的にラップタイムを表示することの違いを除けば同様であり、実施例１乃至４の効果が得られる。
【００２７】
また、走行距離情報発信手段１ｂ（Ｐ０）を図７のようにスタートライン地点に設けると次のような処理をすることが可能となる。
それは、参加者の多いロードレース大会ではスタートラインからかなり離れた後方からのスタートとなることがある。大会主催者によるスタートの合図がされてから参加者がスタートラインを通過するまでに１０分もかかることもある。
【００２８】
このような場合にスタート合図がされた時にランニング支援装置の計測スタートボタンを押し計測を開始する。使用者がスタートラインを通過した時にスタートライン地点に設けられた走行距離情報発信手段１ｂ（Ｐ０）の信号をランニング支援装置の通信手段７が受けて、計測スタートボタンが押され計測が開始されてからスタートライン通過までの時間Ｔｂｅｆを記憶手段５に記憶するとともに計時手段２の計測時間をゼロにし、走行時間の計測を再開することができる。
こうすることで、スタートラインからゴールまでの走行時間Ｔを計測することが可能となる。また、記憶手段５に記憶されたスタートライン通過までの時間Ｔｂｅｆとスタートラインからゴールまでの走行時間Ｔを演算手段４で演算することでスタート合図がされてからの総走行時間（Ｔｂｅｆ＋Ｔ）を知ることも可能となる。
【００２９】
本実施例では走行距離検知センサー１ａと走行距離情報発信手段１ｂを個別に適用したランニング支援装置について述べたが、これらを組み合わせてランニング支援システムを構成しても良い。この場合は、レースでのコース取りによる走行距離検知センサー１ａによる走行距離の若干の増分を走行距離情報発信手段１ｂの信号を用いて補正することも可能となる。
【００３０】
【発明の効果】
本発明によれば、利用者がランニングするに際して、ランニング区間の距離が分からないコース上において、所定の区間ごとのラップタイムを自動的に計測することができ、必要に応じてその計測結果を知ることができるランニング支援装置を実現することができる。
【図面の簡単な説明】
【図１】本発明の実施例１を説明するための、ランニング支援装置の制御ブロック図である。
【図２】本発明の実施例１を説明するための、利用者の走行距離を直接的に計測することを示した図である。
【図３】本発明の実施例１を説明するための、自動ラップタイム計測の実現を示した図である。
【図４】本発明の実施例２を説明するための、利用者のペース配分の支援を示した図である。
【図５】本発明の実施例３を説明するための、所定地点の通過タイムの予測を現地点までの平均速度から求める方法を示した図である。
【図６】本発明の実施例４を説明するための、所定地点の通過タイムの予想を現地点での速度から求める方法を示した図である。
【図７】本発明の実施例５を説明するための、利用者の走行距離を間接的に計測することを示した図である。
【符号の説明】
１：走行距離検知手段
１ａ：走行距離検知センサー
１ｂ：走行距離情報発信手段
２：計時手段
３：設定手段
４：演算手段（制御手段）
５：記憶手段
６：報知手段
７：通信手段
【図１】
2004016444.tif 000003
【図２】
2004016444.tif 000004
【図３】
2004016444.tif 000005
【図４】
2004016444.tif 000006
【図５】
2004016444.tif 000007
【図６】
2004016444.tif 000008
【図７】
2004016444.tif 000009